(57)【要約】【課題】農作業における空容器回収の作業効率を上げ、また容器中の農薬液剤を最後まで使い切ることができる農薬用容器を提供すること。【解決手段】本発明の農薬用容器は、キャップ、中栓、及び上部に開口部を有する容器本体からなり、かつ該容器本体は上から口部、首部、肩部、胴部及び底部が連なって形成され、該容器本体の側面に同本体と一体成形された、貫通孔を有する紐通し部及び該底部の内底面に窪み形成された液溜め部を備えてなることを特徴とする。【選択図】図１
2009001302.tif 000002
【特許請求の範囲】
【請求項１】
キャップ、中栓、及び上部に開口部を有する容器本体からなり、かつ該容器本体は上から口部、首部、肩部、胴部及び底部が連なって形成されている農薬用容器であって、
該容器本体の側面に同本体と一体成形された、貫通孔を有する紐通し部及び
該底部の内底面に窪み形成された液溜め部を備えてなることを特徴とする農薬用容器。
【請求項２】
前記胴部の一部又は全体に形成された、前記容器本体の最大外径よりもより小さい外径を有するラベル貼着部を備えてなることを特徴とする請求項１記載の農業用容器。
【請求項３】
前記口部の下部又は前記首部の上部に外方に延びるフランジ部を形成し、該フランジと前記肩部との間に指が入り込む手持ち空間部を備えてなることを特徴とする請求項１記載の農業用容器。
【発明の詳細な説明】
【技術分野】
【０００１】
本発明は、キャップ、中栓、及び上部に開口部を有する容器本体からなり、かつ該容器本体は上から口部、首部、肩部、胴部及び底部が連なって形成されてなる農薬用容器に関する。
【背景技術】
【０００２】
従来、液剤を封入するための容器として、特許文献１に記載されるようなプラスチックボトル、すなわち該ボトルの口頚部を改良したものは既に知られている。農薬を散布するために農薬液剤が封入されているそのようなボトルを使用するとき、通常、１本（場合によっては数本）のボトルが農薬散布機に固定され、ボトルにチューブが挿し込まれ、挿し込まれたチューブを通して液剤が吸い上げられる。そして、ボトルが空になり次第、チューブを別のボトルに挿し込み、液剤を吸い上げて農薬の継続的散布を行うという方法が採られている。
【特許文献１】特開平９−５８７２０号公報
【発明の開示】
【発明が解決しようとする課題】
【０００３】
その際、ボトル中の液剤が残り僅かになると、その液剤をいくら吸い上げようとしてもチューブの先端が液剤の中に浸らないために液剤を吸い上げることができず、液剤の一部が相当量容器中に残ってしまい、容器中の農薬液剤を最後まで使い切ることが出来ないという問題があった。また、農薬散布後に出る空になった容器を回収する作業は、回収する容器の数が多いこと、また容器自体が嵩張ること等の理由から非常に煩雑で、作業効率が非常に悪かった。従って、本発明は、上記の問題を解決するために工夫されたものである。
【課題を解決するための手段】
【０００４】
本発明の農薬用容器は、キャップ、中栓、及び上部に開口部を有する容器本体からなり、かつ該容器本体は上から口部、首部、肩部、胴部及び底部が連なって形成され、該容器本体の側面に同本体と一体成形された、貫通孔を有する紐通し部及び該底部の内底面に窪み形成された液溜め部を備えてなることを特徴とするものである。
また、本発明の容器は、前記胴部の一部又は全体に形成された、前記容器本体の最大外径よりもより小さい外径を有するラベル貼着部を備えてなることを特徴とするものである。
さらに、本発明の容器は、前記口部の下部又は前記首部の上部に外方に延びるフランジ部を形成し、該フランジと前記肩部との間に指が入り込む手持ち空間部を備えてなることを特徴とするものである。
【発明の効果】
【０００５】
本発明の農薬用容器は、該容器本体に貫通孔を有する紐通し部を設け、該紐通し部に紐を通すことによって複数の容器を簡単に一纏めにでき、持ち運びし易くなるので、空になった容器の回収を効率良く行うことができる。また、該容器本体の内底面に液溜め部を設けたことによって、該容器に挿入されたチューブの先端が該液溜め部に挿し込まれ、内容物が残り僅かになったとき、該液溜め部に集められた該容器中に残存する残り僅かな液剤までも吸い上げることが出来るので液剤を最後まで無駄なく使い切ることができる。
また、前記容器の胴部に設けられたラベル貼着部は、該容器本体の最大外径よりもより小さい外径を有することから、該ラベル貼着部にラベルを貼りつけても該ラベルが該容器本体側面より突出することはないので、ラベルが他の物体と接触、擦れ合い難くなり、ラ
ベルの損傷を防ぐことができる。
さらに、前記容器の口部の下部又は首部の上部に外方に延びるフランジ部を形成することによって該容器を持つ際に指を掛け易くなり、また手持ち空間部を設けることによって指を掛ける空間が確保され、さらに持ち易くなるため、２Ｌ以上の大型容器でも手で持って簡単に持ち運びすることがきる。
【発明を実施するための最良の形態】
【０００６】
本発明の農薬用容器は、キャップ、中栓、及び上部に開口部を有する容器本体からなるものであり、また該容器本体は、上から口部、首部、肩部、胴部及び底部が連なって形成されるものである。例えば、該容器本体は、外周にねじ部を備える口部、該口部の下方に連なる首部、該首部から下方に向けて拡径する肩部、該肩部に連なり円筒形の横断面を備える胴部と、該胴部に連なって接地部位となる底部とからなる構造を有するものが用いられる。
前記キャップは、該容器本体の口部に形成されているネジ部と螺合できるようなネジ部を内側側面に備えるものであればよく、例えば、開栓時にキャップの一部が破損して、その一部が容器本体の口部に残り、開栓したことが分かるようなフィンロック機構を備えたものが好ましくは用いられる。
前記中栓は、前記容器本体の開口部を覆いその内壁面に添わせて取付けられる着脱可能なものであり、さらに該中栓にはチューブを挿し込むための貫通孔及び空気抜きのための貫通孔が通常設けられる。それら２つの貫通孔の形状は、特に制限されるものではない。例えば、それら貫通孔の形状を円形とした場合、４ないし８ｍｍ径のチューブを挿し込むための貫通孔の大きさは４ないし１０ｍｍ程度が好ましく、また空気抜きのための貫通孔の大きさは２ないし４ｍｍ程度が好ましい。それら貫通孔を設ける位置については、適宜選択し得るものである。
前記紐通し部は、前記容器本体の側面に同本体と一体成形され、好ましくは首部の側面と肩部の一部に接するように設けられる。該紐通し部には紐を通すための貫通孔が設けられるが、該貫通孔の形状は該貫通孔と通す紐との間に生じる摩擦がなるべく生じ難い形状、例えば円形状や楕円形状等が好ましい。該貫通孔の大きさについてもその形状と同様、該貫通孔に通す紐の太さなどによって適宜選択し得るものである。
前記液溜め部は、内容物が残り僅かになったとき、容器に残存する残り僅かな液剤が該液溜め部に集中的に集まるようにしたものである。該液溜め部が設けられる位置は、容器本体の内底面であればどこでも構わないが、好ましくは内底面に高低差がある場合、液剤がより集まり易いように該液溜め部の底面が容器本体の内底面において最も低い位置になるように設ける。また該液溜め部の寸法は、容器本体に挿入されるチューブを該液溜め部に固定するためにチューブの寸法よりやや大きい程度のものが望ましく、例えばチューブが直径６ｍｍ程度の寸法を有するとき該液溜め部の縦及び横幅がともに８ないし１０ｍｍ程度が好ましく、深さは液溜めに必要な深さであれば良いが、２ないし５ｍｍ程度が好ましい。
前記ラベル貼着部は、ラベルの厚さよりも大きい寸法分だけ前記容器本体の最大外径より小さい外径を有することが望ましく、例えば該容器本体の最大外径よりも０．３ないし０．５ｍｍ程度小さい外径を有する。また、該ラベル貼着部は、前記胴部の全体に形成されても、又は一部に形成されていてもよい。
前記フランジ部は、前記口部の下部又は前記首部の上部に外方に延びるように設けられ、該フランジの厚さは例えば１ないし３ｍｍである。該フランジと前記肩部との間に設けられた手持ち空間部は、該フランジと該肩部の間に指が入り込む分の空間を確保するために、該フランジは首部に対して少なくとも７ｍｍ程度以上外方に延び形成されていればよく、該フランジ下端と首部下端の距離は少なくとも１０ないし１２ｍｍ程度がよく、また前記肩部の形状は該首部から下方に向けて拡径するようなものが好ましい。
【０００７】
本発明の容器は、ポリエチレン（ＰＥ）、ポリプロピレン（ＰＰ）等の安価な比較的弾
力性のあるプラスチックでも成形することができる。また、このほか樹脂製容器に使用されている、前記ＰＥ、ＰＰ等のポリオレフィンとポリアミド、変性ポリビニルアルコール等とを積層した多層樹脂などが使用できる。ポリアミドとしては、例えばナイロン（登録商標）等、変性ポリビニルアルコール（ＰＶＡ）としては、例えばエバール（登録商標）等が挙げられる。農薬等に用いられる多層樹脂製ボトルは、通常、耐薬品性、ガスバリヤ性を付加するために内容物が接触する内壁にはナイロン（登録商標）やエバール（登録商標）が使用される。これらのプラスチック、特にポリオレフィンは、炭酸カルシウム等通常この種の分野で使用される充填剤を添加したものを使用することもできる。
また容器の製造は、単層品はブロー成形法により、多層品は共押出しブロー成形により行う。
【実施例】
【０００８】
以下に本発明の一実施例の形態及び実施例を図面に基づいて説明する。
本発明の一実施例である２Ｌの容積を有する農薬用容器の容器本体１を、図１に示す。該容器本体１は、口部２、首部３、肩部４、胴部５及び底部６が連なって形成されており、首部３に設けられた紐通し部７、底部６に設けられた液溜め部８、胴部５に形成されたラベル貼着部９及び口部２の下部に設けられたフランジ部１０から構成されるものである。
前記紐通し部７は、首部３の側面に同本体と一体に成形された円形の貫通孔を有し、図６に示すように各々の容器の紐通し部７の貫通孔に紐を通し容器同士を紐で繋ぐことによって複数の容器を一纏めにすることができる。
前記液溜め部８は、図３（Ｂ）に示すように底部６の内底面１８に形成された窪みからなり、図３（Ａ）に示すように容器本体１の口部上方から挿入されたチューブ１７の先端を液溜め部８に挿し込み使用される。
前記ラベル貼着部９は、図１に示すように、容器本体１の最大外径よりも０．４ｍｍ小さい外径を有し、例えば、図５及び図６に示すように該ラベル貼着部９には厚さ０．２ｍｍのラベル２３が貼り着けられる。本実施例では、ラベル貼着部９は胴部５の全体に形成されているが、胴部の一部に形成してもよい。
前記フランジ部１０は、口部２の下部に設けられ径方向外方に突出形成されており、厚さは２ｍｍである。また該フランジ側面は首部側面に対して６．６５ｍｍ外方に形成されており、該フランジ下端と首部下端との距離は１１ｍｍである。口部２に設けられた突起部３は、図１に示すように容器本体１の口部２の周面に設けられていて、図４（Ｃ）に示すブレイクリング部１４の突起と接するようになっている。
【０００９】
中栓１３は、図２の（Ａ）に示されるように容器本体１の開口部を覆いその内壁面に添わせて装着され、２つの貫通孔を有するものであって、図３の（Ａ）に示すように１つは中栓１３の中心部に設けられた内容物を吸引するチューブ１７を通すためのチューブ通し孔１５、他方は空気孔１６である。チューブ通し孔１５及び空気孔１６の大きさは、それぞれ直径６ｍｍ及び２．５ｍｍである。中栓１３に用いられる材質は、ポリエチレン製等の耐薬品性やパッキング性のあるものが好ましい。
【００１０】
キャップ１２は、開封するとキャップの一部が破損して、キャップを開けたことが分かるフィンロックタイプである。図４に示すように、キャップ本体１２とその下端にキャップの周方向に沿って一点鎖線状に形成されたスリットを隔てて設けられたブレイクリング部１４とからなり、このリング部１４の内周面に設けられた突起２２がキャップを開方向に回したときにボトルの口部外周に設けられた突起部１１に接してキャップ本体１２とリング部１４をつなぐブリッジが切断されてキャップ本体１２からリング部１４が分離するように構成されている。また、キャップ本体１２の上面において、その中心部はその外周面に対して凹状に形成されており、その中心部の凹状部分には商品名、薬品名、製造業者名等を記した薄い円盤状のラベル板２４がはめ込まれる。図４の（Ｂ）に示すようにキャ
ップ本体１２の側面には、開栓時及び閉栓時の指とキャップ との間の摩擦を増大させる
滑り止め、すなわち外周にわたって一定間隔を置いて複数の細長い凸状部２１が形成されている。
本実施例の農薬用容器は、以上のような構成としたことにより、複数の容器を簡単に一纏めにでき、２Ｌの大型容器でも片手で持ち運びできるようになったので、使用済み空容器の回収効率は格段に上がる。また該容器中に残存する残り僅かな液剤までも吸い上げられるので、液剤を最後まで使い切ることができる。さらに、ラベル貼着部に貼り付けられたラベルは、他の物体と接触、擦れ合い難くなり、ラベルの損傷を軽度に抑えることができる。
【産業上の利用可能性】
【００１１】
本発明の農薬用容器は、農作業における空容器回収の作業効率を上げ、また容器中の農薬液剤を最後まで使い切るために非常に有効な手段である。
【図面の簡単な説明】
【００１２】
【図１】図１は、本発明の農薬用容器の容器本体を示す正面図である。
【図２】図２の（Ａ）は、図１の容器本体の口部、首部及び肩部を示す正面図であり、（Ｂ）は図２の（Ａ）の中栓を拡大した図である。
【図３】図３の（Ａ）は、図１の容器本体にチューブが挿入している状態を示す側面図であり、（Ｂ）は図１の容器本体の内底面を示す平面図である。
【図４】図４の（Ａ）は、本発明の農薬用容器の容器のキャップを上から見た図であり、（Ｂ）は該キャップの側面図であり、及び（Ｃ）は同図（Ｂ）のＡ−Ａ破断平面図である。
【図５】図５は、本発明の農薬用容器を示す斜視図である
【図６】図６は、図１の容器本体の紐通し部に紐を通し、容器同士を紐で繋げた図である。
【符号の説明】
【００１３】
１    容器本体
２    口部
３    首部
４    肩部
５    胴部
６    底部
７    紐通し部
８    液溜め部
９    ラベル貼着部
１０  フランジ部
１１  突起部
１２  キャップ
１３  中栓
１４  ブレイクリング部
１５  チューブ通し孔
１６  空気孔
１７  チューブ
１８  内底面
１９  凹状部
２０  凸状部
２１  突起
２２  ラベル
２３  ラベル板
【図１】
2009001302.tif 000003
【図２】
2009001302.tif 000004
【図３】
2009001302.tif 000005
【図４】
2009001302.tif 000006
【図５】
2009001302.tif 000007
【図６】
2009001302.tif 000008
【手続補正書】
【提出日】平成19年6月27日(2007.6.27)
【手続補正１】
【補正対象書類名】明細書
【補正対象項目名】００１０
【補正方法】変更
【補正の内容】
【００１０】
キャップ１２は、開封するとキャップの一部が破損して、キャップを開けたことが分かるフィンロックタイプである。図４に示すように、キャップ本体１２とその下端にキャップの周方向に沿って一点鎖線状に形成されたスリットを隔てて設けられたブレイクリング部１４とからなり、このリング部１４の内周面に設けられた突起２２がキャップを開方向に回したときにボトルの口部外周に設けられた突起部１１に接してキャップ本体１２とリング部１４をつなぐブリッジが切断されてキャップ本体１２からリング部１４が分離するように構成されている。また、キャップ本体１２の上面において、その中心部はその外周面に対して凹状に形成されており、その中心部の凹状部分には商品名、薬品名、製造業者名等を記した薄い円盤状のラベル板２３がはめ込まれる。図４の（Ｂ）に示すようにキャップ本体１２の側面には、開栓時及び閉栓時の指とキャップ との間の摩擦を増大させる
滑り止め、すなわち外周にわたって一定間隔を置いて複数の細長い凸状部２１が形成されている。
本実施例の農薬用容器は、以上のような構成としたことにより、複数の容器を簡単に一纏めにでき、２Ｌの大型容器でも片手で持ち運びできるようになったので、使用済み空容器の回収効率は格段に上がる。また該容器中に残存する残り僅かな液剤までも吸い上げられるので、液剤を最後まで使い切ることができる。さらに、ラベル貼着部に貼り付けられたラベルは、他の物体と接触、擦れ合い難くなり、ラベルの損傷を軽度に抑えることができる。